(57)【要約】【課題】  サブシャーシをメインシャーシに対して精度よく位置決めする。【解決手段】  磁気記録再生装置が、メインシャーシと、メインシャーシに対して相対的に移動可能なサブシャーシと、サブシャーシがメインシャーシに対して相対的に移動するのをガイドする第１のガイド部とを備え、第１のガイド部は、サブシャーシがメインシャーシに対して相対的に移動可能な方向に沿って設けられた第１のガイド溝部と、第１のガイド溝部と係合する、第１の突起部とを含み、第１のガイド溝部は、第１の突起部が移動可能な方向に２つの端部を有し、第１の突起部は、２つの端部のうちの少なくとも一方において、２点で当接可能であり、２つの端部のうちの少なくとも一方は、第１の突起部の移動が２点の当接によって停止され、かつ、２点のうちの一方の点と他方の点との距離が、ガイド溝部の幅よりも短くなるように、形成されている。【選択図】  図４
2004319076.tif 000002
【特許請求の範囲】
【請求項１】
カセットに含まれる磁気テープに情報を記録するか、および／または、磁気テープから情報を再生するための磁気記録再生装置であって、
前記磁気テープに情報を記録するか、および／または、前記磁気テープから情報を再生する回転ヘッドシリンダを搭載したメインシャーシと、
前記カセットを装着可能なサブシャーシであって、前記メインシャーシに対して相対的に移動可能なサブシャーシと、
前記サブシャーシが前記メインシャーシに対して相対的に移動するのをガイドする第１のガイド部と
を備え、
前記第１のガイド部は、
前記メインシャーシおよび前記サブシャーシの一方に設けられた第１のガイド溝部であって、前記サブシャーシが前記メインシャーシに対して相対的に移動可能な方向に沿って設けられた第１のガイド溝部と、
前記メインシャーシおよび前記サブシャーシの他方に設けられた第１の突起部であって、前記第１のガイド溝部と係合し、前記第１のガイド溝部に対して移動可能な第１の突起部と
を含み、
前記第１のガイド溝部は、前記第１の突起部が移動可能な方向に２つの端部を有し、前記第１の突起部は、前記２つの端部のうちの少なくとも一方において、２点で当接可能であり、前記２つの端部のうちの少なくとも一方は、前記第１の突起部の移動が前記２点の当接によって停止され、かつ、前記２点のうちの一方の点と他方の点との距離が、前記第１のガイド溝部の幅よりも短くなるように、形成されている、磁気記録再生装置。
【請求項２】
前記磁気記録再生装置は、
前記サブシャーシが前記メインシャーシに対して相対的に移動するのをガイドする第２のガイド部と、
前記サブシャーシが前記メインシャーシに対して相対的に移動するのをガイドする第３のガイド部と
をさらに備え、
前記第２のガイド部は、
前記メインシャーシおよび前記サブシャーシの一方に設けられた第２のガイド溝部であって、前記サブシャーシが前記メインシャーシに対して相対的に移動可能な方向に沿って設けられた第２のガイド溝部と、
前記メインシャーシおよび前記サブシャーシの他方に設けられた第２の突起部であって、前記第２のガイド溝部と係合し、前記第２のガイド溝部に対して移動可能な第２の突起部と
を含み、
前記第３のガイド部は、
前記メインシャーシおよび前記サブシャーシの一方に設けられた第３のガイド溝部であって、前記サブシャーシが前記メインシャーシに対して相対的に移動可能な方向に沿って設けられた第３のガイド溝部と、
前記メインシャーシおよび前記サブシャーシの他方に設けられた第３の突起部であって、前記第３のガイド溝部と係合し、前記第３のガイド溝部に対して移動可能な第３の突起部と
を含み、
前記メインシャーシは、底面と、前記底面に垂直な第１の垂直面と、前記底面に垂直で、かつ、前記第１の垂直面と対向する第２の垂直面とを含み、
前記サブシャーシは、底面と、前記底面に垂直な第１の垂直面と、前記底面に垂直で、かつ、前記第１の垂直面と対向する第２の垂直面とを含み、
前記第１のガイド部は、前記メインシャーシおよび前記サブシャーシのそれぞれの前記第１の垂直面に設けられ、
前記第２のガイド部および前記第３のガイド部は、前記メインシャーシおよび前記サブシャーシのそれぞれの前記第２の垂直面に設けられ、
前記第２のガイド溝部は、前記第２の突起部が移動可能な方向に２つの端部を有し、前記第２の突起部は、前記２つの端部のうちの少なくとも一方において、２点で当接可能であり、前記２つの端部のうちの少なくとも一方は、前記第２の突起部の移動が前記２点の当接によって停止され、かつ、前記２点のうちの一方の点と他方の点との距離が、前記第２のガイド溝部の幅よりも短くなるように、形成されている、請求項１に記載の磁気記録再生装置。
【請求項３】
前記磁気記録再生装置は、
前記サブシャーシが前記メインシャーシに対して相対的に移動するのをガイドする第４のガイド部と、
前記サブシャーシが前記メインシャーシに対して相対的に移動するのをガイドする第５のガイド部と
をさらに備え、
前記第４のガイド部は、
前記メインシャーシおよび前記サブシャーシの一方に設けられた第４のガイド溝部であって、前記サブシャーシが前記メインシャーシに対して相対的に移動可能な方向に沿って設けられた第４のガイド溝部と、
前記メインシャーシおよび前記サブシャーシの他方に設けられた第４の突起部であって、前記第４のガイド溝部と係合し、前記第４のガイド溝部に対して移動可能な第４の突起部と
を含み、
前記第５のガイド部は、
前記メインシャーシおよび前記サブシャーシの一方に設けられた第５のガイド溝部であって、前記サブシャーシが前記メインシャーシに対して相対的に移動可能な方向に沿って設けられた第５のガイド溝部と、
前記メインシャーシおよび前記サブシャーシの他方に設けられた第５の突起部であって、前記第５のガイド溝部と係合し、前記第５のガイド溝部に対して移動可能な第５の突起部と
を含み、
前記第４のガイド部および前記第５のガイド部は、それぞれ、前記メインシャーシおよび前記サブシャーシのそれぞれの前記底面に設けられる、請求項２に記載の磁気記録再生装置。
【請求項４】
前記第１のガイド溝部の前記２つの端部のうちの少なくとも一方は、Ｖ字形状である、請求項１に記載の磁気記録再生装置。
【発明の詳細な説明】
【技術分野】
【０００１】
本発明は、磁気記録再生装置に関し、より詳細には、メインシャーシに対してサブシャーシを相対的に移動可能な磁気記録再生装置に関する。
【背景技術】
【０００２】
カセットに含まれる磁気テープに情報を記録するか、および／または、磁気テープから情報を再生するための磁気記録再生装置は、２つのシャーシ、すなわち、メインシャーシとサブシャーシとによって構成されている。
【０００３】
以下に、図１０，図１１，図１２，図１３を参照して、従来の磁気記録再生装置６００について説明する。
【０００４】
図１０は、従来の磁気記録再生装置６００のメインシャーシ４００の三面図である。
【０００５】
図１０（ａ）は、メインシャーシ４００の左側面、図１０（ｂ）は、メインシャーシ４００の平面図、図１０（ｃ）は、メインシャーシ４００の右側面である。
【０００６】
メインシャーシ４００は、底面４３０と、底面４３０と垂直になるように設けられた左垂直面４２０ａと、底面４３０と垂直になるように設けられた右垂直面４２０ｂとを含む。左垂直面４２０ａは、右垂直面４２０ｂと対向するように配置されている。
【０００７】
メインシャーシ４００の底面４３０上には、回転ヘッドシリンダー４１２が設けられている。
【０００８】
メインシャーシ４００の左垂直面４２０ａには、メインシャーシ４００の内側に突起した第１の突起部４０３が設けられており、メインシャーシ４００の右垂直面４２０ｂには、第２の突起部４０４および第３の突起部４０５が設けられている。第２の突起部４０４および第３の突起部４０５は、それぞれ、メインシャーシ４００の内側に突起している。
【０００９】
図１０では、図面を複雑にすることを防ぐ目的で、メインシャーシ４００の回転ヘッドシリンダー４１２、第１の突起部４０３、第２の突起部４０４、第３の突起部４０５以外の構成要素を省略して示している。
【００１０】
図１１は、従来の磁気記録再生装置のサブシャーシ５００の三面図である。
【００１１】
図１１（ａ）は、サブシャーシ５００の左側面、図１１（ｂ）は、サブシャーシ５００の平面図、図１１（ｃ）は、サブシャーシ５００の右側面である。
【００１２】
サブシャーシ５００は、底面５３１と、底面５３１と垂直になるように設けられた左垂直面５２１ａと、底面５３１と垂直になるように設けられた右垂直面５２１ｂとを含む。左垂直面５２１ａは、右垂直面５２１ｂと対向するように配置されている。
【００１３】
サブシャーシ５００の左垂直面５２１ａには、第１のガイド溝部５０９が設けられ、  サブシャーシ５００の右垂直面５２１ｂには、第２のガイド溝部５１０および第３のガイド溝部５１１が設けられている。
【００１４】
図１１でも、図面を複雑にすることを防ぐ目的で、サブシャーシ５００のガイド溝部５０９、第２のガイド溝部５１０、第３のガイド溝部５１１以外の構成要素を省略して示している。
【００１５】
メインシャーシ４００上にサブシャーシ５００を配置することによって、磁気記録再生装置６００が形成される（図１２、図１３参照）。
【００１６】
磁気記録再生装置６００では、サブシャーシ５００にカセット（図示せず）が装着される。
【００１７】
サブシャーシ５００にカセットを装着可能なカセット装着位置から、カセットのテープを回転ヘッドシリンダー４１２まで引き出すテープ引き出し位置まで、サブシャーシ５００は、メインシャーシ４００に対して往復移動可能である。
【００１８】
磁気記録再生装置６００において、メインシャーシ４００に設けられた第１の突起部４０３はサブシャーシ５００に設けられた第１のガイド溝部５０９と係合し、メインシャーシ４００に設けられた第２の突起部４０４はサブシャーシ５００に設けられた第２のガイド溝部５１０と係合し、メインシャーシ４００に設けられた第３の突起部４０５はサブシャーシ５００に設けられた第３のガイド溝部５１１と係合する。
【００１９】
なお、図１０，図１１では省略されているが、メインシャーシ４００およびサブシャーシ５００には、テープをカセットから引き出して回転ヘッドシリンダー４１２に巻回するためのテープ引き出し部材、および、回転ヘッドシリンダー４１２に巻回したテープを駆動するためのテープ駆動部材等が設けられている。
【００２０】
図１２は、カセット装着位置における従来の磁気記録再生装置６００の右側面図と左側面図である。
【００２１】
図１２（ａ）は、テープ装着位置における従来の磁気記録再生装置６００の左側面図であり、図１２（ｂ）は、テープ装着位置における従来の磁気記録再生装置６００の右側面図である。
【００２２】
図１２に示されるように、サブシャーシ５００とメインシャーシ４００とは係合しているが、図１２では、メインシャーシ４００の全体図を省略し、メインシャーシ４００の構成要素として、第１の突起部４０３、第２の突起部４０４、第３の突起部４０５のみを図示している。
【００２３】
第１の突起部４０３は、テープ装着位置において、図１２（ａ）に示されるように、第１のガイド溝部５０９に対して、ａ，ｂ，ｃの３点で接触可能であり、ａ，ｂ，ｃの３点によって、Ａの矢印で示す移動方向とＢの矢印で示す上下方向とにおいて位置決めされている。
【００２４】
第２の突起部４０４は、同様に、図１２（ｂ）に示されるように、第２のガイド溝部５１０に対してａ’，ｂ’，ｃ’の３点で接触可能であり、ａ’，ｂ’，ｃ’の３点によって、Ａの矢印で示す移動方向とＢの矢印で示す上下方向とにおいて位置決めされている。
【００２５】
また、第３の突起部４０５は第３のガイド溝部５１１に対してｄ，ｅの上下２点で接触可能であり、Ｃの矢印で示す上下方向において位置決めされている。
【００２６】
テープ装着位置において、第１の突起部４０３と第１のガイド溝部５０９との係合と、第２の突起部４０４と第２のガイド溝部５１０との係合と、第３の突起部４０５と第３のガイド溝部５１１の係合とによって、メインシャーシ４００に対するサブシャーシ５００の平面の傾き精度とＡの矢印で示す移動方向の位置精度が決定される。
【００２７】
図１３は、テープ引き出し位置における従来の磁気記録再生装置６００の右側面図と左側面図である。
【００２８】
図１３（ａ）は、テープ引き出し位置における従来の磁気記録再生装置６００の左側面図であり、図１３（ｂ）は、テープ引き出し位置における従来の磁気記録再生装置６００の右側面図である。
【００２９】
図１３に示されるように、サブシャーシ５００とメインシャーシ４００とは係合しているが、図１３でも、メインシャーシ４００の全体図を省略し、メインシャーシ４００の構成要素として、第１の突起部４０３、第２の突起部４０４、第３の突起部４０５のみを図示している。
【００３０】
図１３に示されるように、第１の突起部４０３は、テープ引き出し位置において、第１のガイド溝部５０９に対してａ，ｂ，ｃの３点で接触可能であり、ａ，ｂ，ｃの３点によって、Ａの矢印で示す移動方向とＢの矢印で示す上下方向とにおいて位置決めされている。
【００３１】
また、同様に、第２の突起部４０４は、第２のガイド溝部５１０に対してａ’，ｂ’，ｃ’の３点で接触可能であり、ａ’，ｂ’，ｃ’の３点によって、Ａの矢印で示す移動方向とＢの矢印で示す上下方向とにおいて位置決めされている。
【００３２】
テープ装着位置と同様にテープ引き出し位置においても、第１の突起部４０３と第１のガイド溝部５０９との係合と、第２の突起部４０４と第２のガイド溝部５１０との係合と、第３の突起部４０５と第３のガイド溝部５１１の係合とによって、メインシャーシ４００に対するサブシャーシ５００の平面の傾き精度とＡの矢印で示す移動方向の位置精度が決定される。
【特許文献１】特開平１１−３２８７７３号公報
【発明の開示】
【発明が解決しようとする課題】
【００３３】
しかしながら、上述した従来の磁気記録再生装置６００では、第１の突起部４０３が、第１のガイド溝部５０９に対して移動するためには、第１のガイド溝部５０９の上下方向の幅は、第１の突起部４０３の上下方向の外径よりも若干広い必要がある。従って、第１の突起部４０３が、第１のガイド溝部５０９に対してａ，ｂ，ｃの３点で位置決めされる場合、第１の突起部４０３の上下方向の位置が、その間隙のため正確に決まらない。
【００３４】
また、同様に、第２の突起部４０４が、第２のガイド溝部５１０に対して移動するためには、第２のガイド溝部５１０の上下方向の幅は、第２の突起部４０４の上下方向の外径よりも若干広い必要がある。従って、第２の突起部４０４が、第２のガイド溝部５１０に対してそれぞれａ’，ｂ’，ｃ’の３点で位置決めされる場合、第２の突起部４０４の上下方向の位置が、その間隙のため正確に決まらない。
【００３５】
サブシャーシ５００上には、一般に、磁気テープをガイドするための複数のテープガイド部材が設けられ、これらのテープガイド部材は、メインシャーシ４００に設けられた回転ヘッドシリンダー４１２に対して、テープ引き出し位置において、特に、傾斜角度精度および位置精度を高精度に位置決めする必要がある。したがって、第１の突起部４０３および第２の突起部４０４の上下方向の位置が、間隙のため正確に決まらないと、サブシャーシ５００自体のメインシャーシ４００に対する角度または位置が決まらないことになり、テープガイド部材の傾斜角度精度および位置精度を高精度に位置決めすることができないという問題点を有していた。
【００３６】
また、サブシャーシ５００の左右方向の位置決めも、メインシャーシ４００の左垂直面４２０ａおよび右垂直面４２０ｂと、サブシャーシ５００の左垂直面５２１ａおよび右垂直面５２１ｂとによって行われるため、位置決め精度がよくないという問題点を有していた。
【００３７】
本発明は上記従来の問題点を解決するもので、ガイド溝部は、突起部が移動可能な方向に２つの端部を有し、突起部は、２つの端部のうちの少なくとも一方において、２点で当接可能であり、２つの端部のうちの少なくとも一方は、突起部の移動が２点の当接によって停止され、かつ、２点のうちの一方の点と他方の点との距離が、ガイド溝部の幅よりも短くなるように、形成されていることにより、単純な構成でサブシャーシをメインシャーシに対して精度よく位置決めする磁気記録再生装置を提供することを目的とする。
【課題を解決するための手段】
【００３８】
本発明の磁気記録再生装置は、  カセットに含まれる磁気テープに情報を記録するか、および／または、磁気テープから情報を再生するための磁気記録再生装置であって、前記磁気テープに情報を記録するか、および／または、前記磁気テープから情報を再生する回転ヘッドシリンダを搭載したメインシャーシと、前記カセットを装着可能なサブシャーシであって、前記メインシャーシに対して相対的に移動可能なサブシャーシと、前記サブシャーシが前記メインシャーシに対して相対的に移動するのをガイドする第１のガイド部とを備え、前記第１のガイド部は、前記メインシャーシおよび前記サブシャーシの一方に設けられた第１のガイド溝部であって、前記サブシャーシが前記メインシャーシに対して相対的に移動可能な方向に沿って設けられた第１のガイド溝部と、前記メインシャーシおよび前記サブシャーシの他方に設けられた第１の突起部であって、前記第１のガイド溝部と係合し、前記第１のガイド溝部に対して移動可能な第１の突起部とを含み、前記第１のガイド溝部は、前記第１の突起部が移動可能な方向に２つの端部を有し、前記第１の突起部は、前記２つの端部のうちの少なくとも一方において、２点で当接可能であり、前記２つの端部のうちの少なくとも一方は、前記第１の突起部の移動が前記２点の当接によって停止され、かつ、前記２点のうちの一方の点と他方の点との距離が、前記第１のガイド溝部の幅よりも短くなるように、形成されている。
【００３９】
これにより、単純な構成でサブシャーシをメインシャーシに対して精度よく位置決めできる。
【００４０】
前記磁気記録再生装置は、前記サブシャーシが前記メインシャーシに対して相対的に移動するのをガイドする第２のガイド部と、前記サブシャーシが前記メインシャーシに対して相対的に移動するのをガイドする第３のガイド部とをさらに備え、前記第２のガイド部は、前記メインシャーシおよび前記サブシャーシの一方に設けられた第２のガイド溝部であって、前記サブシャーシが前記メインシャーシに対して相対的に移動可能な方向に沿って設けられた第２のガイド溝部と、前記メインシャーシおよび前記サブシャーシの他方に設けられた第２の突起部であって、前記第２のガイド溝部と係合し、前記第２のガイド溝部に対して移動可能な第２の突起部とを含み、前記第３のガイド部は、前記メインシャーシおよび前記サブシャーシの一方に設けられた第３のガイド溝部であって、前記サブシャーシが前記メインシャーシに対して相対的に移動可能な方向に沿って設けられた第３のガイド溝部と、前記メインシャーシおよび前記サブシャーシの他方に設けられた第３の突起部であって、前記第３のガイド溝部と係合し、前記第３のガイド溝部に対して移動可能な第３の突起部とを含み、前記メインシャーシは、底面と、前記底面に垂直な第１の垂直面と、前記底面に垂直で、かつ、前記第１の垂直面と対向する第２の垂直面とを含み、前記サブシャーシは、底面と、前記底面に垂直な第１の垂直面と、前記底面に垂直で、かつ、前記第１の垂直面と対向する第２の垂直面とを含み、前記第１のガイド部は、前記メインシャーシおよび前記サブシャーシのそれぞれの前記第１の垂直面に設けられ、前記第２のガイド部および前記第３のガイド部は、前記メインシャーシおよび前記サブシャーシのそれぞれの前記第２の垂直面に設けられ、前記第２のガイド溝部は、前記第２の突起部が移動可能な方向に２つの端部を有し、前記第２の突起部は、前記２つの端部のうちの少なくとも一方において、２点で当接可能であり、前記２つの端部のうちの少なくとも一方は、前記第２の突起部の移動が前記２点の当接によって停止され、かつ、前記２点のうちの一方の点と他方の点との距離が、前記第２のガイド溝部の幅よりも短くなるように、形成されてもよい。
【００４１】
これにより、第１のガイド部と、第２のガイド部と、第３のガイド部とによってサブシャーシの傾きを精度よく位置決めできる。  
【００４２】
前記磁気記録再生装置は、前記サブシャーシが前記メインシャーシに対して相対的に移動するのをガイドする第４のガイド部と、前記サブシャーシが前記メインシャーシに対して相対的に移動するのをガイドする第５のガイド部とをさらに備え、前記第４のガイド部は、前記メインシャーシおよび前記サブシャーシの一方に設けられた第４のガイド溝部であって、前記サブシャーシが前記メインシャーシに対して相対的に移動可能な方向に沿って設けられた第４のガイド溝部と、前記メインシャーシおよび前記サブシャーシの他方に設けられた第４の突起部であって、前記第４のガイド溝部と係合し、前記第４のガイド溝部に対して移動可能な第４の突起部とを含み、前記第５のガイド部は、前記メインシャーシおよび前記サブシャーシの一方に設けられた第５のガイド溝部であって、前記サブシャーシが前記メインシャーシに対して相対的に移動可能な方向に沿って設けられた第５のガイド溝部と、前記メインシャーシおよび前記サブシャーシの他方に設けられた第５の突起部であって、前記第５のガイド溝部と係合し、前記第５のガイド溝部に対して移動可能な第５の突起部とを含み、前記第４のガイド部および前記第５のガイド部は、それぞれ、前記メインシャーシおよび前記サブシャーシのそれぞれの前記底面に設けられてもよい。
【００４３】
これにより、第４のガイド部および第５のガイド部によって、横方向にさらに精度よく位置決めすることができる。  
【００４４】
前記第１のガイド溝部の前記２つの端部のうちの少なくとも一方は、Ｖ字形状であってもよい。
【００４５】
これにより、単純な構成でサブシャーシを精度よく位置決めすることができる。
【発明を実施するための最良の形態】
【００４６】
以下、本発明の実施の形態について、図１から図９を参照して説明する。
【００４７】
本発明の磁気記録再生装置は、メインシャーシと、サブシャーシとを含み、カセットを装着可能であり、カセットに含まれる磁気テープに情報を記録するか、および／または、磁気テープから情報を再生する。
【００４８】
以下、図１〜図９を参照して、本発明のある実施形態による磁気記録再生装置３００について説明する。
【００４９】
図１は、本発明のある実施形態による磁気記録再生装置３００のメインシャーシ１００の三面図である。
【００５０】
図１（ａ）は、メインシャーシ１００の左側面、図１（ｂ）は、メインシャーシ１００の平面図、図１（ｃ）は、メインシャーシ１００の右側面である。
【００５１】
メインシャーシ１００は、底面１３０と、底面１３０と垂直になるように設けられた左垂直面１２０ａと、底面１３０と垂直になるように設けられた右垂直面１２０ｂとを含む。左垂直面１２０ａは、右垂直面１２０ｂと対向するように配置されている。
【００５２】
メインシャーシ１００の底面１３０上には、回転ヘッドシリンダー１０２が設けられている。
【００５３】
メインシャーシ１００の左垂直面１２０ａには、メインシャーシ１００の内側に突起した第１の突起部１０３が設けられており、メインシャーシ１００の右垂直面１２０ｂには、第２の突起部１０４および第３の突起部１０５が設けられている。第２の突起部１０４および第３の突起部１０５は、それぞれ、メインシャーシ１００の内側に突起している。
【００５４】
第１の突起部１０３は、第２の突起部１０４と対向するように配置されている。
【００５５】
また、メインシャーシ１００の底面１３０には、第４の突起部１０６および第５の突起部１０７が設けられており、第４の突起部１０６および第５の突起部１０７は、それぞれ、底面１３０から上方に突起している。
【００５６】
ここで、第１の突起部１０３、第２の突起部１０４、第３の突起部１０５、第４の突起部１０６、第５の突起部１０７のそれぞれの断面形状は、円形状である。
【００５７】
図１では、図面を複雑にすることを防ぐ目的で、メインシャーシ１００の回転ヘッドシリンダー１０２、第１の突起部１０３、第２の突起部１０４、第３の突起部１０５、第４の突起部１０６、第５の突起部１０７以外の構成要素を省略して示している。
【００５８】
図２は、本発明の磁気記録再生装置のサブシャーシ２００の三面図である。
【００５９】
図２（ａ）は、サブシャーシ２００の左側面、図２（ｂ）は、サブシャーシ２００の平面図、図２（ｃ）は、サブシャーシ２００の右側面である。
【００６０】
サブシャーシ２００は、底面２３１と、底面２３１と垂直になるように設けられた左垂直面２２１ａと、底面２３１と垂直になるように設けられた右垂直面２２１ｂとを含む。左垂直面２２１ａは、右垂直面２２１ｂと対向するように配置されている。
【００６１】
サブシャーシ２００の左垂直面２２１ａには、第１のガイド溝部２０９が設けられ、  サブシャーシ２００の右垂直面２２１ｂには、第２のガイド溝部２１０および第３のガイド溝部２１１が設けられている。
【００６２】
第１のガイド溝部２０９は、第２のガイド溝部２１０と対向するように配置されている。
【００６３】
第１のガイド溝部２０９は、一方の端部２０９ａと、他方の端部２０９ｂとを含む。ここで、端部２０９ａおよび端部２０９ｂは、それぞれ、Ｖ字の形状を有するＶ字形状部となっている。
【００６４】
同様に、第２のガイド溝部２１０は、一方の端部２１０ａと、他方の端部２１０ｂとを含む。ここで、端部２１０ａおよび端部２１０ｂは、それぞれ、Ｖ字の形状を有するＶ字形状部となっている。
【００６５】
また、サブシャーシ２００の底面２３１には、第４のガイド溝部２１２および第５のガイド溝部２１３が設けられている。
【００６６】
図２でも、図面を複雑にすることを防ぐ目的で、サブシャーシ２００のガイド溝部２０９、第２のガイド溝部２１０、第３のガイド溝部２１１、第４のガイド溝部２１２、第５のガイド溝部２１３以外の構成要素を省略して示している。
【００６７】
メインシャーシ１００上にサブシャーシ２００を配置することによって、磁気記録再生装置３００が形成される（図３〜図６、図９参照）。
【００６８】
磁気記録再生装置３００では、サブシャーシ２００にカセット３９（図９参照）が装着される。
【００６９】
サブシャーシ２００にカセット３９を装着可能なカセット装着位置から、カセット３９の磁気テープを回転ヘッドシリンダー１０２まで引き出すテープ引き出し位置まで、サブシャーシ２００は、メインシャーシ１００に対して往復移動可能である。
【００７０】
磁気記録再生装置３００において、メインシャーシ１００に設けられた第１の突起部１０３はサブシャーシ２００に設けられた第１のガイド溝部２０９と係合し、メインシャーシ１００に設けられた第２の突起部１０４はサブシャーシ２００に設けられた第２のガイド溝部２１０と係合し、メインシャーシ１００に設けられた第３の突起部１０５はサブシャーシ２００に設けられた第３のガイド溝部２１１と係合する。
【００７１】
磁気記録再生装置３００では、第１の突起部１０３と第１のガイド溝部２０９とによって第１のガイド部３１０が形成され、第２の突起部１０４と第２のガイド溝部２１０とによって第２のガイド部３２０が形成され、第３の突起部１０５と第３のガイド溝部２１１とによって第３のガイド部３３０が形成される（図４、図６参照）。
【００７２】
また、メインシャーシ１００に設けられた第４の突起部１０６はサブシャーシ２００に設けられた第４のガイド溝部２１２と係合し、メインシャーシ１００に設けられた第５の突起部１０７はサブシャーシ２００に設けられた第５のガイド溝部２１３と係合する。
【００７３】
また、磁気記録再生装置３００では、第４の突起部１０６と第４のガイド溝部２１２とによって第４のガイド部３４０が形成され、第５の突起部１０７と第５のガイド溝部２１３とによって第５のガイド部３５０が形成される（図３、図５参照）。
【００７４】
第１のガイド部３１０、第２のガイド部３２０、第３のガイド部３３０、第４のガイド部３４０、第５のガイド部３５０は、それぞれ、サブシャーシ２００がメインシャーシ１００に対して相対的に移動するのをガイドする。
【００７５】
なお、図１，図２では、省略したが、メインシャーシ１００およびサブシャーシ２００には、磁気テープをカセット３９から引き出して回転ヘッドシリンダー１０２に巻回するためのテープ引き出し部材、および、回転ヘッドシリンダー１０２に巻回した磁気テープを駆動するためのテープ駆動部材等が設けられている。
【００７６】
図３は、カセット装着位置における本発明の磁気記録再生装置３００の平面図である。
【００７７】
第４の突起部１０６は、カセット装着位置において、第４のガイド溝部２１２に対してｆ，ｇの左右２点で接触可能であり、Ｄの矢印で示す左右方向において位置決めされている。ここで、左右方向とは、メインシャーシ１００において左垂直面１２０ａから右垂直面１２０ｂに向かう方向またはその逆方向、および、サブシャーシ２００において左垂直面２２１ａから右垂直面２２１ｂに向かう方向またはその逆方向である。
【００７８】
同様に、第５の突起部１０７は、カセット装着位置において、第５のガイド溝部２１３に対してｈ，iの左右２点で接触可能であり、Ｄの矢印で示す左右方向において位置決めされている。
【００７９】
図４は、カセット装着位置における本発明の磁気記録再生装置３００の右側面図と左側面図である。
【００８０】
図４（ａ）は、テープ装着位置における本発明の磁気記録再生装置３００の左側面図であり、図４（ｂ）は、テープ装着位置における本発明の磁気記録再生装置３００の右側面図である。
【００８１】
図４に示されるように、サブシャーシ２００とメインシャーシ１００とは係合しているが、図４では、メインシャーシ１００の全体図を省略し、メインシャーシ１００の構成要素として、第１の突起部１０３、第２の突起部１０４、第３の突起部１０５のみを図示している。
【００８２】
第１の突起部１０３は、テープ装着位置において、図４（ａ）に示されるように、第１のガイド溝部２０９に対して、ｘ，ｙの２点で接触し、Ａの矢印で示す移動方向とＢの矢印で示す上下方向とにおいて位置決めされている。ここで、上下方向とは、メインシャーシ１００において底面１３０に垂直な方向、および、サブシャーシ２００において底面２３１に垂直な方向である。これにより、第１の突起部１０３の移動が停止される。
【００８３】
このように、端部２０９ａでは、第１の突起部１０３が、その移動可能な方向に対して第１のガイド溝部２０９と２点ｘ、ｙで当接し、２点のうちの一方の点ｘと他方の点ｙとの距離は、第１のガイド溝部２０９の幅よりも短い。ここで、端部２０９ａでは、２点のうちの一方の点ｘは、第１の突起部１０３の重心１０３ｇが移動する方向の線に対して、２点のうちの他方の点ｙと反対に配置される。
【００８４】
同様に、第２の突起部１０４は、テープ装着位置において、図４（ｂ）に示されるように、第２のガイド溝部２１０に対してｘ’，ｙ’の２点で接触し、Ａの矢印で示す移動方向とＢの矢印で示す上下方向とにおいて位置決めされている。これにより、第２の突起部１０４の移動が停止される。
【００８５】
このように、端部２１０ａでは、第２の突起部１０４が、その移動可能な方向に対して第２のガイド溝部２１０と２点ｘ’、ｙ’で当接し、２点のうちの一方の点ｘ’と他方の点ｙ’との距離は、第２のガイド溝部２１０の幅よりも短い。ここで、端部２１０ａでは、２点のうちの一方の点ｘ’は、第２の突起部１０４の重心１０４ｇが移動する方向の線に対して、２点のうちの他方の点ｙ’と反対に位置する。
【００８６】
また、第３の突起部１０５は第３のガイド溝部２１１に対してｄ，ｅの上下２点で接触可能であり、Ｃの矢印で示す上下方向において位置決めされている。
【００８７】
テープ装着位置において、第１の突起部１０３と第１のガイド溝部２０９との係合と、第２の突起部１０４と第２のガイド溝部２１０との係合と、第３の突起部１０５と第３のガイド溝部２１１の係合とによって、メインシャーシ１００に対するサブシャーシ２００の平面の傾き精度とＡの矢印で示す移動方向の位置精度が決定される。
【００８８】
図５は、テープ引き出し位置における本発明の磁気記録再生装置３００の平面図である。
【００８９】
第４の突起部１０６は、テープ引き出し位置において、第４のガイド溝部２１２に対してｆ，ｇの左右２点で接触可能であり、Ｄの矢印で示す左右方向において位置決めされている。
【００９０】
同様に、第５の突起部１０７は、テープ引き出し位置において、第５のガイド溝部２１３に対してｈ，ｉの左右２点で接触可能であり、Ｄの矢印で示す左右方向において位置決めされている。
【００９１】
図６は、テープ引き出し位置における本発明の磁気記録再生装置３００の右側面図と左側面図である。
【００９２】
図６（ａ）は、テープ引き出し位置における本発明の磁気記録再生装置３００の左側面図であり、図６（ｂ）は、テープ引き出し位置における本発明の磁気記録再生装置３００の右側面図である。
【００９３】
図６に示されるように、サブシャーシ２００とメインシャーシ１００とは係合しているが、図６でも、メインシャーシ１００の全体図を省略し、メインシャーシ１００の構成要素として、第１の突起部１０３、第２の突起部１０４、第３の突起部１０５のみを図示している。
【００９４】
図６に示されるように、第１の突起部１０３は、テープ引き出し位置において、第１のガイド溝部２０９に対してｘ、ｙの２点で接触し、Ａの矢印で示す移動方向とＢの矢印で示す上下方向とにおいて位置決めされている。これにより、第１の突起部１０３の移動が停止される。
【００９５】
このように、端部２０９ｂでは、第１の突起部１０３が、その移動可能な方向に対して第１のガイド溝部２０９と２点ｘ、ｙで当接し、２点のうちの一方の点ｘと他方の点ｙとの距離は、第１のガイド溝部２０９の幅よりも短い。ここで、端部２０９ｂでは、２点のうちの一方の点ｘは、第１の突起部１０３の重心１０３ｇが移動する方向の線に対して、２点のうちの他方の点ｙと反対に位置する。
【００９６】
また、同様に、第２の突起部１０４は、第２のガイド溝部２１０に対してｘ’，ｙ’の２点で接触し、Ａの矢印で示す移動方向とＢの矢印で示す上下方向とにおいて位置決めされている。これにより、第２の突起部１０４の移動が停止される。
【００９７】
このように、端部２１０ｂでは、第２の突起部１０４が、その移動可能な方向に対して第２のガイド溝部２１０と２点ｘ’、ｙ’で当接し、２点のうちの一方の点ｘ’と他方の点ｙ’との距離は、第２のガイド溝部２１０の幅よりも短い。ここで、端部２１０ｂでは、２点のうちの一方の点ｘ’は、第２の突起部１０４の重心１０４ｇが移動する方向の線に対して、２点のうちの他方の点ｙ’と反対に位置する。
【００９８】
テープ装着位置と同様にテープ引き出し位置においても、第１の突起部１０３と第１のガイド溝部２０９との係合と、第２の突起部１０４と第２のガイド溝部２１０との係合と、第３の突起部１０５と第３のガイド溝部２１１の係合とによって、メインシャーシ１００に対するサブシャーシ２００の平面の傾き精度とＡの矢印で示す移動方向の位置精度が決定される。
【００９９】
ここで、メインシャーシ１００の詳細について説明する。
【０１００】
図７は、本発明の実施形態によるメインシャーシ１００の平面図である。
【０１０１】
メインシャーシ１００は、底面１３０上に設けられたキャプスタン３１と、キャプスタン３１上に植立されたキャプスタン軸３１ａと、ドライブギア３２と、タイミングベルト３３と、センターギア３４とを含む。
【０１０２】
メインシャーシ１００の底面１３０には、４本のカム溝穴２１ａ，２１ｂ，２１ｃ，２１ｄが設けてある。メインシャーシ１００の手前端部２１ｅはドライブギア３２およびセンターギア３４の両側面で回転ヘッドシリンダ１０２（図７では図示せず、図９参照）の方向に大きく切り欠かれている。メインシャーシ１００の手前端部２１ｅは、磁気記録再生装置３００の厚み方向においてＬ字状に構成されている。手前端部２１ｅは、所定の厚さを有する。
【０１０３】
モータ２２は正逆回転可能であり、モータ２２の回転力は、モータウォーム２３、連結ウォーム２４、そして、ギア２５，２６を介し、モードギア２７に伝えられる。
【０１０４】
モードギア２７は支点２７ａを中心に回転可能であり、モードギア２７の上面には、サブシャーシ２００と係合してサブシャーシ２００を動かすサブシャーシ駆動ピン２７ｂが設けてあり、それにより、サブシャーシ２００はメインシャーシ１００に対して移動する。
【０１０５】
シリンダベース２８は、３つのねじ穴２８ｅでメインシャーシ１００にねじ止めされている。このシリンダベース２８上に回転ヘッドシリンダ１０２（図７では図示せず、図９参照）をのせて、シリンダベース２８の裏面から３つのシリンダ止め用ねじ穴２８ｆを用いて回転ヘッドシリンダ１０２をねじ止めする。
【０１０６】
また、ガイド溝部２８ａ、２８ｂは、サブシャーシ２００の底面２３１上に搭載されたＳボート６、Ｔボート９が磁気テープを引き出す際にＳボート６、Ｔボート９をガイドする。
【０１０７】
ねじりコイルバネ２９，３０は、弾性体であり、所定の力の予圧を加えた状態でメインシャーシ１００上に固定されている。
【０１０８】
ピンチローラ（図示せず）がキャプスタン軸３１ａに磁気テープを押圧した状態で、キャプスタン軸３１ａは回転し、磁気テープを駆動する。キャプスタンギア３１ｂは、キャプスタン３１と一体的に構成されている。
【０１０９】
ドライブギア３２は、メインシャーシ１００上に設けられた回転軸３２ａにより軸支されている。ドライブギア３２は、上部ギア３２ｂと、下部ギア３２ｃとを含む。タイミングベルト３３は、ドライブギア３２の上部ギア３２ｂとキャプスタンギア３１ｂとに張架されている。
【０１１０】
センターギア３４は、メインシャーシ１００上に設けられた回転軸３４ａにより軸支されている。センターギア３４は、上部ギア３４ｂと、下部ギア３４ｃとを含む。ドライブギア３２の下部ギア３２ｃとセンターギア３４の下部ギア３４ｃとは、噛み合っている。
【０１１１】
次いで、サブシャーシ２００の詳細について説明する。
【０１１２】
図８は、本発明の実施形態によるサブシャーシ２００の平面図である。
【０１１３】
サブシャーシ２００には、底面２３１上に設けられた４つのテープ引き出し部材２，６，９，１０と、底面２３１上に回転自在に支持された供給リール台（以下、Ｓリール台ともよぶ）１１と、底面２３１上に回転自在に支持された巻取リール台（以下、Ｔリール台ともよぶ）１２とを含む。４つのテープ引き出し部材２，６，９，１０のそれぞれを、ＴＲアーム２、Ｓボート６、Ｔボート９、Ｔ３アーム１０ともよぶ。
【０１１４】
サブシャーシ２００は、カセット３９（図８には図示せず、図９参照）を装着可能なように構成されており、カセット３９を装着する場合、カセット３９は、サブシャーシ２００の手前端部１ｅ側から装着される。ここで、カセットは、磁気テープと、供給リールと、巻取リールと、供給リールおよび巻取リールをロックするリールロック部とを有する一般的な構成である。
【０１１５】
Ｓリール台１１は、カセットの供給リールと係合し、Ｔリール台１２はカセットの巻取リールと係合する。
【０１１６】
ＴＲアーム２は、サブシャーシ２００の底面２３１上の支点２ａの周りに回動自在に支持されている。ＴＲアーム２の一端の表方向にはＴＲポスト２ｂが、他端の裏方向にはＴＲアーム駆動ピン２ｃが設けられている。
【０１１７】
Ｔ３アーム１０は、サブシャーシ２００上の支点１０ａの周りに回動自在に支持されている。Ｔ３アーム１０の一端の表方向にはＴ３ポスト１０ｂが、他端の裏方向にはＴ３アーム駆動ピン１０ｃが設けられている。
【０１１８】
Ｓアーム４は、サブシャーシ２００の底面２３１上の支点４ａの周りに回動自在に支持されている。Ｓアーム４の一端の裏方向にはＳアーム駆動ピン４ｃが、他端の表方向にはＳリンクピン４ｂが設けられている。
【０１１９】
Ｓリンクピン４ｂには、Ｓリンク５が回動自在に取り付けてあり、またＳリンク５の他端には、Ｓボート６がボス６ｂを介して回動自在に取り付けてある。
【０１２０】
Ｔアーム７は、Ｓアーム４と同様の構成である。Ｔアーム７は、サブシャーシ２００の底面２３１上の支点７ａの周りに回動自在に支持され、一端の裏方向にはＴアーム駆動ピン７ｂが設けられており、他端の表方向にはＴリンクピン８ａが設けられている。
【０１２１】
Ｔリンク８の一端はＴリンクピン８ａを介してＴアーム７に対して回動自在に取り付けられてある。また、Ｔリンク８の他端には、Ｔボート９がボス９ｂを介して回動自在に取り付けてある。
【０１２２】
Ｓボート６には磁気テープをガイドするＳローラポスト６ａが植立されてあり、Ｔボート９には、同じく磁気テープをガイドするＴローラポスト９ａ及びＴ１ポスト９ｃが植立されてある。
【０１２３】
このように全てのテープ引き出し部材２，６，９，１０はサブシャーシ２００の上に設けられている。
【０１２４】
Ｓリール台１１、Ｔリール台１２は、それぞれ軸１１ａ，１２ａの周りに回転自在に支持されている。Ｓリール台１１の外周部には、ギア部１１ｂが設けられており、Ｔリール台１２の外周部にギア部１２ｂが設けられている。Ｓリール台１１、Ｔリール台１２はカセット３９（図８には図示せず、図９参照）をサブシャーシ２００に装着した際、カセット３９のリールハブと係合し、磁気テープの巻き取りが行われる。また、Ｓリール台１１の周囲には磁気テープ走行時のテープテンションを制御するためのブレーキバンド（ＴＲバンド）３が巻き付いており、ＴＲバンド３の一端はＴＲアーム２の回動部２ｄに回動自在に支持され、他端はサブシャーシ２００上の回動部３ａに回動自在に支持されている。そして、磁気テープ走行時にはＴＲアーム２に取り付けたＴＲバネ２ｅの力により、ＴＲバンド３を介しＳリール台１１に負荷トルクが働く構成となっている。
【０１２５】
サブシャーシ調整板１ｂには、溝穴１ａが設けてあり、サブシャーシ調整板１ｂは、サブシャーシ２００にねじ（図示せず）により固定されている。
【０１２６】
サブシャーシ２００には、また、長孔１ｃが設けられている。大穴部１ｄは、長孔１ｃの上部に設けられている。
【０１２７】
図９は、本発明の実施の形態における磁気記録再生装置３００のテープ引き出し位置の平面図である。
【０１２８】
磁気記録再生装置３００は、カセット３９を装着可能なサブシャーシ２００と、回転ヘッドシリンダ１０２を搭載したメインシャーシ１００とを備えている。
【０１２９】
サブシャーシ２００は、カセット３９内の供給リールと巻取リールにそれぞれ係合する供給リール台１１と巻取リール台１２を含み、メインシャーシ１００は、磁気テープ４０を駆動するためのキャプスタン３１を含む。
【０１３０】
アイドラ３５は、メインシャーシ１００に軸承され、アイドラ３５は、キャプスタン軸３１ａの回転によって駆動され、供給リール台１１と巻取リール台１２に係合し、供給リール台１１と巻取リール台１２を回転駆動する。
【０１３１】
磁気記録再生装置３００において、テープ引き出し位置では、供給リールと巻取リールとを含むカセット３９よりテープ引き出し部材２、６、９、１０が磁気テープ４０を引き出した後、回転ヘッドシリンダ１０２に磁気テープ４０を所定の角度、巻回して磁気テープ４０の記録および再生の少なくとも一方が行なわれる。
【０１３２】
なお、図７、図８、図９を参照して詳細を説明したメインシャーシ１００、サブシャーシ２００、および、磁気記録再生装置３００は、本発明の実施形態の一例にすぎず、図７から図９に示された構成に限定されないことに留意されたい。
【０１３３】
また、図７、図８、図９では、図面を過度に複雑にすることを防ぐ目的で、ガイド溝部および突起部を示していないことに留意されたい。
【０１３４】
以上のように、本実施の形態によれば、メインシャーシ１００に第１の突起部１０３、第２の突起部１０４、第３の突起部１０５、第４の突起部１０６、第５の突起部１０７を設け、サブシャーシ２００に第１のガイド溝部２０９、第２のガイド溝部２１０、第３のガイド溝部２１１、第４のガイド溝部２１２、第５のガイド溝部２１３を設け、さらに詳細には、メインシャーシ１００の垂直面に第１の突起部１０３、第２の突起部１０４、第３の突起部１０５を設け、サブシャーシ２００の垂直面に第１のガイド溝部２０９、第２のガイド溝部２１０、第３のガイド溝部２１１を設けている。さらに、第１のガイド溝部２０９のうちの第１の突起部１０３が移動可能な方向の端部２０９ａ、２０９ｂは、第１の突起部１０３がその移動可能な方向に対して第１のガイド溝部２０９と２点ｘ、ｙで当接し、かつ、２点のうちの一方の点ｘと他方の点ｙとの距離が、第１のガイド溝部２０９の幅よりも短くなるように設けられるとともに、第２のガイド溝部２１０のうちの第２の突起部１０４が移動可能な方向の端部２１０ａ、２１０ｂは、第２の突起部１０４がその移動可能な方向に対して第２のガイド溝部２１０と２点ｘ’、ｙ’で当接し、かつ、２点のうちの一方の点ｘ’と他方の点ｙ’との距離が、第２のガイド溝部２１０の幅よりも短くなるように設けられてる。このように単純な構成によって、精度よくサブシャーシを位置決めすることができる。
【０１３５】
なお、上記説明では、メインシャーシに突起部を設け、サブシャーシにガイド溝部を設けたが、本発明はこれに限定されない。本発明では、メインシャーシにガイド溝部を設け、サブシャーシに突起部を設けてもよい。
【０１３６】
また、上記説明では、突起部の断面形状は、円形状であったが、本発明はこれに限定されず、突起部の断面形状は、楕円形状であっても、矩形であってもよい。
【０１３７】
また、上記説明では、ガイド溝部のうちの突起部が移動可能な方向の両方の端部が、Ｖ字形状であったが、本発明は、これに限定されない。本発明は、ガイド溝部のうちの突起部が移動可能な方向の端部の少なくとも一方がＶ字形状であればよい、
また、上記説明では、ガイド溝部の端部をＶ字形状としたが、本発明はこれに限定されない。本発明は、ガイド溝部が、突起部が移動可能な方向に端部を有し、突起部が、端部において、２点で当接可能であり、端部は、突起部の移動が２点の当接によって停止され、かつ、２点のうちの一方の点と他方の点との距離が、ガイド溝部の幅よりも短くなるように、形成されていればよい。
【０１３８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１３９】
本発明によれば、ガイド溝部は、突起部が移動可能な方向に端部を有し、突起部は、端部において、２点で当接可能であり、端部は、突起部の移動が２点の当接によって停止され、かつ、２点のうちの一方の点と他方の点との距離が、ガイド溝部の幅よりも短くなるように、形成されていることにより、単純な構成でサブシャーシをメインシャーシに対して精度よく位置決めする磁気記録再生装置を提供することができる。
【図面の簡単な説明】
【０１４０】
【図１】本発明のある実施の形態における磁気記録再生装置のメインシャーシの三面図
【図２】本発明のある実施の形態における磁気記録再生装置のサブシャーシの三面図
【図３】本発明のある実施の形態における磁気記録再生装置のカセット装着位置での平面図
【図４】本発明のある実施の形態における磁気記録再生装置のカセット装着位置での右側面図と左側面図
【図５】本発明のある実施の形態における磁気記録再生装置のテープ引き出し位置での平面図
【図６】本発明のある実施の形態における磁気記録再生装置のテープ引き出し位置での右側面図と左側面図
【図７】本発明のある実施の形態における磁気記録再生装置のメインシャーシの平面図
【図８】本発明のある実施の形態における磁気記録再生装置のサブシャーシの平面図
【図９】本発明のある実施の形態における磁気記録再生装置のテープ引き出し位置の平面図
【図１０】従来の磁気記録再生装置のメインシャーシの三面図
【図１１】従来の磁気記録再生装置のサブシャーシの三面図
【図１２】従来の磁気記録再生装置のカセット装着位置での右側面図と左側面図
【図１３】従来の磁気記録再生装置のテープ引き出し位置での右側面図と左側面図
【符号の説明】
【０１４１】
１００  メインシャーシ
１０２  回転ヘッドシリンダー
１０３  第１の突起部
１０４  第２の突起部
１０５  第３の突起部
１０６  第４の突起部
１０７  第５の突起部
２００  サブシャーシ
２０９  第１のガイド溝部
２０９ａ、２０９ｂ  Ｖ字形状部
２１０  第２のガイド溝部
２１０ａ、１０ｂ  Ｖ字形状部
２１１  第３のガイド溝部
２１２  第４のガイド溝部
２１３  第５のガイド溝部
【図１】
2004319076.tif 000003
【図２】
2004319076.tif 000004
【図３】
2004319076.tif 000005
【図４】
2004319076.tif 000006
【図５】
2004319076.tif 000007
【図６】
2004319076.tif 000008
【図７】
2004319076.tif 000009
【図８】
2004319076.tif 000010
【図９】
2004319076.tif 000011
【図１０】
2004319076.tif 000012
【図１１】
2004319076.tif 000013
【図１２】
2004319076.tif 000014
【図１３】
2004319076.tif 000015